(57)【要約】      （修正有）【課題】簡単で経済的な構造を有し、重ねの度合いが高く、収納場所での占有面積を最小にできる水平方向に重ねられる椅子を提供することである。【解決手段】横部材（２０）により相互に接続された２つの前脚（１６）と２つの後脚（１８）からなり、前脚（１６）と後脚（１８）は第１椅子（１０′）の前脚（１６）が第１椅子と同一の第２椅子（１０″）の間に挿入できるように相互にオフセットされている、固定ベース構造と、前記サポート構造により支持されたシートバックレストアセンブリ（１４）とからなり、シートバックレストアセンブリ（１４）は、前記横部材（２０）の回りに、使用位置と収納位置の間で回動可能であり、前記収納位置ではシートバックレストアセンブリ（１４）は使用位置に対して前方に回動される。【選択図】図７
2007130478.tif 000002
【特許請求の範囲】
【請求項１】
横部材（２０）により相互に接続された２つの前脚（１６）と２つの後脚（１８）からなり、前脚（１６）と後脚（１８）は第１椅子（１０′）の前脚（１６）が第１椅子と同一の第２椅子（１０″）の間に挿入できるように相互にオフセットされている、固定ベース構造（１２）と、
前記サポート構造（１２）により支持されたシートバックレストアセンブリ（１４）とからなる椅子において、
前記シートバックレストアセンブリ（１４）は、前記横部材（２０）の回りに、使用位置と収納位置の間で回動可能であり、前記収納位置ではシートバックレストアセンブリ（１４）は使用位置に対して前方に回動されることを特徴とする椅子。
【請求項２】
前記シートバックレストアセンブリ（１４）は、前記横部材（２０）の長手軸と一致する水平横軸（５６）の回りに回動可能に装着されていることを特徴とする請求項１に記載の椅子。
【請求項３】
前記固定サポート構造（１２）は、前記使用位置と前記収納位置にそれぞれ対応する前記シートバックレストアセンブリ（１４）の２つの停止位置を規定していることを特徴とする請求項２に記載の椅子。
【請求項４】
前記シートバックレストアセンブリ（１４）を前記使用位置にロックするロック装置を有することを特徴とする請求項３に記載の椅子。
【請求項５】
前記シートバックレストアセンブリ（１４）は、前記固定ベース構造（１２）に対して一体構造ユニットを形成しているシート部（２４）とバックレスト部（２６）からなることを特徴とする請求項１に記載の椅子。
【請求項６】
前記シートバックレストアセンブリ（１４）は、２つのサポートフランジ（２８）を有し、各サポートフランジは可動結合要素（３８）を支持し、可動結合要素は前記横部材（２０）と回動可能に係合することを特徴とする請求項１に記載の椅子。
【請求項７】
前記各サポートフランジ（２８）は、阻止位置に向かって弾性的に押されたロックカーソル（６４）を支持していることを特徴とする請求項６に記載の椅子。
【請求項８】
前記カーソル（６４）をアンロック位置に向かって移動するように操作することができるアンロックレバー（７２）を有することを特徴とする請求項７に記載の椅子。
【請求項９】
第１椅子（１０′）と第２椅子（１０″）が相互に水平に重ねられた位置では、第１椅子のシート部（２４′）は第２椅子（１０″）のシート部（２４″）の下方でかつ後方に延び、第１椅子のバックレスト部（２６′）は第２椅子（１０″）のバックレスト部（２６″）の上方でかつ後方に延びていることを特徴とする請求項１に記載の椅子。
【発明の詳細な説明】
【技術分野】
【０００１】
本発明は請求項１の前提部分に記載された重ねられる椅子に関する。
【背景技術】
【０００２】
大会、会議などのイベントに使用可能な椅子は、イベント終了時に限られた場所に収納できるように、通常互いに重ねることができる。椅子を重ねる典型的な解決手段は、下の椅子の真上に上の椅子を重ねることで、垂直方向に椅子を重ね合わせる可能性を与えることである。
【０００３】
水平方向に互いに重ねることができる椅子も知られている。２つの椅子を長手方向に互いに接近させると第１の椅子の前脚を第１の椅子と同じ第２の椅子の後脚の間に挿入することができる。
【発明の開示】
【発明が解決しようとする課題】
【０００４】
本発明の目的は、簡単で経済的な構造を有し、重ねの度合いが高く、収納場所での占有面積を最小にできる水平方向に重ねられる椅子を提供することである。
【課題を解決するための手段】
【０００５】
本発明によると、前記目的は請求項１に記載の特徴を有する椅子によって達成される。
【発明の効果】
【０００６】
本発明によれば、椅子の重なり状態により、椅子を収納するときの空間の最適活用が可能である。
【発明を実施するための最良の形態】
【０００７】
以下、限定しない一実施例としてのみ提供された添付図面を参照して本発明を詳細に説明する。
【０００８】
図１と２を参照すると、参照符号１０は本発明による椅子を示す。椅子１０はシートバックレストアセンブリ１４を支持する固定ベース構造１２からなっている。
【０００９】
固定ベース構造１２は、２つの前脚１６、２つの後脚１８、これらの脚１６，１８の上端に位置する横部材２０からなっている。前後脚１６，１８は、横部材２０から出発して下方に延び、横部材２０を通る垂直面に対してそれぞれ前方と後方に傾斜している。図示された実施例では、脚１６，１８と横部材２０は、互いに溶接された金属製管状要素で構成されている。脚１６，１８はそれらの下端に旋回車輪２２を備えることが好ましい。脚１６，１８の長手軸は互いに平行な垂直面内に含まれている。
【００１０】
前脚１６と後脚１８は、２つの同じ椅子を長手方向に水平にお互いに接近させた時にベース構造１２を相互に重ねることができるようにするために、相互にオフセットしている。図示された実施例では、横方向の前脚１６間の間隔は後脚１８間の間隔よりも小さい。換言すれば、各前脚１６は同じ側の後脚１８に対して内方に横方向へ変位している。重ねられた状態では、第１椅子の前脚１６は第２椅子の後脚の間に挿入される。
【００１１】
シートバックレストアセンブリ１４は、シート部２４とバックレスト部２６からなっている。図に示された実施例では、シートバックレストアセンブリ１４はプラスチック材料からなる一体要素、例えば射出成形で構成されている。代案として、シート部２４とバックレスト部２６は、互いに固着され又は関節接続された２つの別個の要素とすることができる。バックレスト部２６は、シート部２４に対して固定することができるし、ユーザの背中により加えられる押圧力により後方に傾斜可能にすることもできる。バックレスト２６はユーザの押圧力により後方に傾斜するように弾性的に変形可能にシート部２４に対して固定することもできる。
【００１２】
いずれの場合でも、シートバックレストアセンブリ１４は、固定支持構造１２により支持された自律構造要素を形成する。したがって、シートとバックレストは互いに別個に支持構造１２に接続されていない。逆に、シートとバックレストは固定又は回動可能な状態に相互に接続され、以下に説明する方法で、支持構造１２に接続された構造アセンブリ１４を構成している。
【００１３】
図１から図３を参照すると、シートバックレストアセンブリ１４は、シート部２４の下側に固定された２つのサポートフランジ２８を有する。図３に詳細に示すように、各サポートフランジ２８は、好ましくは、平坦な上壁３０と２つの相互に平行な横壁３２を備えた逆Ｕ字形の断面を有する金属板要素により構成される。各サポートフランジ２８の横壁３２は、逆Ｕ字形の開口３６を備えている。各上壁３０は、サポートフランジ２８をシートバックレストアセンブリ１４に例えばねじで固着するために穴３４を備えている。
【００１４】
図３を参照すると、各サポートフランジ２８は、サポートフランジ２８の横壁３２の間に収容される可動結合要素３８を支持している。各可動結合要素は３８は、例えば横壁３２と可動結合要素３８の孔に挿通される複数の回動ピン３９により、それぞれの支持フランジ２８に固着される。各可動結合要素３８は、半円筒形可動シート４０を有するとともに、その上面にガイド構造部４２を有する。また、各可動結合要素３８は、その前端に上方に屈曲したタブ４４を備える。
【００１５】
さらに図３を参照すると、固定支持構造１２の横部材２０は、該横部材２０に固定された２つの止め要素４６を支持している。各止め要素４６は、例えば、横部材２０が挿入される一致した孔を有する２つの平行壁４８を備えた屈曲した金属板片により形成することができる。止め要素４６は、例えば溶接により横部材２０に固着することができる。各止め要素４６は、例えばリベット５２により、平行壁４８間に延びるブリッジ部５４に固着されたブロック５０を備えることができる。
【００１６】
さらに図３を参照すると、各サポートフランジ２８は横部材２０に回動可能に接続されている。特に、それぞれ可動結合要素３８を備えた支持フランジ２８は、横部材２０の長手軸と一致する横水平軸５６の回りに、横部材２０に対して自由に回動するようになっている。前記可動結合要素３８は、それぞれの固着部材の２つの平行壁の間に位置している。横部材２０に対するサポートフランジ２８の可動結合は、例えばねじ６０によりそれぞれの可動結合要素３８に固着されたΩ形要素５８により完了する。低摩擦係数の材料からなる半割シェル６２を、Ω形状要素５８と横部材２０の外面との間に配置することができる。
【００１７】
２つのサポートフランジ２８に固着されたシートバックレスト１４が横軸５６の回りに揺動することができることは理解できるであろう。固定ベース構造１２に対するシートバックレストアセンブリ１４の揺動運動は２つの停止位置がある。第１停止位置は、サポートフランジ２８と止め要素４６の当接によって規定される。さらに詳しくは、前記当接は、サポートフランジ２８の上平面３０と止め要素４６のブリッジ要素５４との接触位置によって規定される。この第１停止位置は、椅子の通常使用位置に相当する。
【００１８】
第２停止位置は、シート部２４の前部が前脚１６に当接する状態によって表される。この第２停止位置では、シートバックレストアセンブリ１４は、シート部２４を下方に傾斜させることで、前方に傾斜している。シートバックレストアセンブリ１４の前方傾斜中の干渉を回避するために、サポートフランジ２８は横方向に前脚１６に対して内方に向かって移動することに注意すべきである。
【００１９】
シートバックレストアセンブリ１４は、シートバックレストアセンブリ１４を図１と図２に示す通常使用位置にロックするロック装置を備えている。図３を参照すると、ロック装置は、２つのカーソル６４からなり、それぞれ可動軸５６に対して直交方向にスライド可能である。各カーソル６４は、屈曲した金属板により構成されることが好ましく、その断面はほぼ逆Ｕ字形である。各カーソル６４は、可動結合要素３８とサポートフランジ２８の間に配置され、可動結合要素３８のガイド構造部４２とスライド可能に係合している。螺旋圧縮ばね６６が、可動結合要素３８のタブ４４とカーソル６４の前壁６８の間に配置されている。螺旋ばね６６は各カーソル６４を阻止位置に向かって押圧する。各カーソル６４は、その後端に、下面が丸くなった係合構造部７０を有する。係合構造部７０は、各止め部材４６のブロック５０と係合するようになっている。２つのカーソル６４は、好ましくはΩ形に屈曲された金属丸棒により形成されたアンロックレバー７２の両端に固着されている。図３を参照すると、アンロックレバー７２の両端７４は、カーソル６４の横孔７６に挿入されている。また、アンロックレバー７２の両端７４は、サポートフランジ２８の横壁３２に形成された係合スロット７８にスライド可能に係合している。
【００２０】
図４，５，６を参照すると、ロック装置の動作は以下の通りである。図４に示す位置では、カーソル６４の係合構造部７０は、阻止要素４６のブロック５０の下面と係合している。この位置では、カーソル６４の阻止構造部７０と阻止要素４６の間の当接がシートバックレストアセンブリ１４の前方回動を防止するため、シートバックレストアセンブリ１４は、通常使用位置でロックされる。
【００２１】
図５を参照すると、アンロックレバー７２を矢印８０で示す方向に前方に引っ張ると、カーソル６４はスプリング６６の押圧力に抗して前方に移動される。図５に示す位置では、カーソル６４の係合構造部７０は阻止部材４６のブロック５０から離脱していることに注意すべきである。
【００２２】
カーソル６４を離脱させると、図６中矢印８２で示すように、シートバックレストアセンブリ１４は前方に自由に回動する。前述したように、シートバックレストアセンブリ１４の前方への回動は、シートの前端と脚１６との当接状態により限界となる。
【００２３】
シートバックレストアセンブリ１４を通常使用の状態に戻すには、シートバックレストアセンブリ１４を上方に回動するだけで十分である。カーソル７４の係合構造の丸くなった形状により、シートバックレストアセンブリ１４が通常使用の位置に達したときに、カーソル１４は自動的にロック要素４６と係合する。
【００２４】
シートバックレストアセンブリ１４の前方への傾斜により、数個の同一の椅子を相当程度深く相互に入り込ませて、水平方向に重ねることができる。図７は、本発明に係る２つの椅子１０′、１０″を相互に重ねた状態を示す。図７には、１ダッシュの参照符号は第１椅子、２ダッシュの参照符号は第２椅子を示す。前述したように、重ねた状態では、第１椅子１０′の前脚１６′は、第２椅子１０″の後脚１８″の間に配置されている。第１椅子１０′の前脚１６′は、第２椅子１０″の前脚１６″の下に延びている。第１椅子１０′のシート部２４′は、第２椅子１０″のシート部２４″の下方で、かつ、後方に位置している。第１椅子１０′のバックレスト部２６′は、第２椅子１０″のバックレスト部２６″の上方で、かつ、後方に位置している。この椅子の重なり状態により、椅子を収納するときの空間の最適活用が可能である。
【図面の簡単な説明】
【００２５】
【図１】本発明に係る椅子の側面図。
【図２】シートバックレストアセンブリを透視した本発明に係る椅子の斜視図。
【図３】図２のＩＩＩ方向から見た部品の分解斜視図。
【図４】図２のＩＶ―ＩＶ線断面図。
【図５】シートバックレストアセンブリをアンロックするステップを示す図４と類似の断面図。
【図６】シートバックレストアセンブリを前方に回動するステップを示す図４と類似の断面図。
【図７】互いに重ねられた本発明による２つの椅子を示す側面図。
【符号の説明】
【００２６】
１０′  第１椅子
１０″  第２椅子
１２  固定ベース構造
１４  シートバックレストアセンブリ
１６  前脚
１８  後脚
２０  横部材
２４  シート部
２６  バックレスト部
２８  サポートフランジ
３８  可動結合要素
５６  水平横軸
６４  ロックカーソル
７２  アンロックレバー
【図１】
2007130478.tif 000003
【図２】
2007130478.tif 000004
【図３】
2007130478.tif 000005
【図４】
2007130478.tif 000006
【図５】
2007130478.tif 000007
【図６】
2007130478.tif 000008
【図７】
2007130478.tif 000009
【外国語明細書】
2007130478.tif 000010
2007130478.tif 000011
2007130478.tif 000012
2007130478.tif 000013
2007130478.tif 000014
2007130478.tif 000015
2007130478.tif 000016
2007130478.tif 000017
2007130478.tif 000018
2007130478.tif 000019
2007130478.tif 000020
2007130478.tif 000021
2007130478.tif 000022
2007130478.tif 000023
2007130478.tif 000024
2007130478.tif 000025
2007130478.tif 000026
2007130478.tif 000027